(57)【要約】【課題】送風機のファンモータが前後方向に回転軸が延びる状態でモータ支持台に支持されている冷凍装置ユニットにおいて、モータ支持台の強度を向上させる。【解決手段】モータ支持台（７０）を構成する第１及び第２支持部材（７４、７５）は、同一形状である。第１及び第２支持部材（７４、７５）はそれぞれ、前板部（８１）と、後板部（８２）と、側板部（８３）と、を有している。前板部（８１）及び後板部（８２）の一方には、ファンモータ（２５）を支持する装着部（８１ａ）が形成されている。前板部（８１）及び後板部（８２）の他方において、装着部（８１ａ）に対向する高さ位置（Ｈ）に、鉛直方向に延びる少なくとも１つの第１膨出部（８２ａ）が形成されている。【選択図】図７
2020085429.tif 000002
【特許請求の範囲】
【請求項１】
前後方向に回転軸（２５ｂ）が延びるファンモータ（２５）と、前記ファンモータに連結されるファン（２４）と、を有する少なくとも１つの送風機（２３）と、
前記ファンモータを前記ファンが連結される側から見る方向である前記ファンモータの前面視において前記回転軸の左側で鉛直方向に延びている第１支持部材（７４）と、前記ファンモータの前面視において前記回転軸の右側で鉛直方向に延びている第２支持部材（７５）と、を有しており、前記ファンモータを支持するモータ支持台（７０）と、
を備えており、
前記第１支持部材及び前記第２支持部材は、同一形状であり、
前記第１支持部材及び前記第２支持部材はそれぞれ、前板部（８１）と、前記前板部の後側に配置される後板部（８２）と、前記前板部と前記後板部とを接続する側板部（８３）と、を有しており、
前記前板部及び前記後板部の一方に、前記ファンモータを支持する装着部（８１ａ）が形成されており、
前記前板部及び前記後板部の他方において、前記装着部に対向する高さ位置（Ｈ）に、鉛直方向に延びる少なくとも１つの第１膨出部（８２ａ）が形成されている、
冷凍装置ユニット（２）。
【請求項２】
前記第１膨出部は、前記前板部及び前記後板部の他方において、上端近傍から下端近傍まで連続して延びている、
請求項１に記載の冷凍装置ユニット。
【請求項３】
前記側板部に、鉛直方向に延びる少なくとも１つの第２膨出部（８３ｂ）が形成されている、
請求項１又は２に記載の冷凍装置ユニット。
【請求項４】
前記前板部及び前記後板部の一方において、前記装着部の上側及び／又は下側に、鉛直方向に延びる少なくとも１つの第３膨出部（８１ｄ）が形成されている、
請求項１〜３のいずれか１項に記載の冷凍装置ユニット。
【請求項５】
前記第１支持部材及び前記第２支持部材は、上下対称の形状である、
請求項１〜４のいずれか１項に記載の冷凍装置ユニット。
【請求項６】
前記第１支持部材及び前記第２支持部材は、前記ファンモータの前面視において、左右対称に配置されている、
請求項５に記載の冷凍装置ユニット。
【発明の詳細な説明】
【技術分野】
【０００１】
冷凍装置ユニット
【背景技術】
【０００２】
従来より、室外送風機（送風機）を有する室外ユニット（冷凍装置ユニット）がある。送風機は、ファンモータと、ファンモータに連結されるファンと、を有している。ファンモータは、水平方向（前後方向）に回転軸が延びる状態でモータ支持台に支持されている。
【０００３】
特許文献１（特開２００１−２２１４６３号公報）に示す冷凍装置ユニットでは、モータ支持台が、ファンモータの前面視において、ファンモータの回転軸の左側及び右側で鉛直方向に延びる１対の支持部材を有している。ファンモータは、支持部材に形成されている装着部にネジ止め等により固定されている。
【発明の概要】
【発明が解決しようとする課題】
【０００４】
このような冷凍装置ユニットでは、設計上の様々な理由により、モータ支持台の強度を向上させる必要がある。モータ支持台の強度を向上させるためには、支持部材の装着部付近の強度を向上させることが有効である。
【課題を解決するための手段】
【０００５】
第１の観点にかかる冷凍装置ユニットは、少なくとも１つの送風機と、モータ支持台と、を有している。送風機は、前後方向に回転軸が延びるファンモータと、ファンモータに連結されるファンと、を有している。モータ支持台は、第１支持部材と、第２支持部材と、を有しており、ファンモータを支持している。ファンモータをファンが連結される側から見る方向をファンモータの前面視とすると、第１支持部材は、ファンモータの前面視において回転軸の左側で鉛直方向に延びている。第２支持部材は、ファンモータの前面視において回転軸の右側で鉛直方向に延びている。そして、第１支持部材及び第２支持部材は、同一形状である。第１支持部材及び第２支持部材はそれぞれ、前板部と、前板部の後側に配置される後板部と、前板部と後板部とを接続する側板部と、を有している。前板部及び後板部の一方には、ファンモータを支持する装着部が形成されている。前板部及び後板部の他方において、装着部に対向する高さ位置に、鉛直方向に延びる少なくとも１つの第１膨出部が形成されている。
【０００６】
ここでは、モータ支持台を構成する第１支持部材及び第２支持部材の共通化を図るために、上記のように、モータ支持台を構成する第１支持部材及び第２支持部材を同一形状にしている。そして、ここでは、この前提において、上記のように、第１及び第２支持部材として、前板部、後板部及び側板部を有する形状を採用している。しかも、ここでは、上記のように、前板部及び後板部の一方に装着部を形成し、かつ、第１及び第２支持部材の前板部及び後板部の他方の装着部に対向する高さ位置に第１膨出部を形成している。このため、ここでは、第１及び第２支持部材の装着部付近の強度を向上させることができ、これにより、モータ支持台の強度を向上させることができる。
【０００７】
第２の観点にかかる冷凍装置ユニットは、第１の観点にかかる冷凍装置ユニットにおいて、第１膨出部が、前板部及び後板部の他方において、上端近傍から下端近傍まで連続して延びている。
【０００８】
ここでは、上記のように、第１膨出部を前板部及び後板部の他方の上端近傍から下端近傍まで連続して形成しているため、第１膨出部を装着部に対向する高さ位置を含めた上下に渡る一体の膨出部にすることができる。このため、ここでは、第１及び第２支持部材の強度をさらに向上させることができ、これにより、モータ支持台の強度をさらに向上させることができる。
【０００９】
第３の観点にかかる冷凍装置ユニットは、第１又は第２の観点にかかる冷凍装置ユニットにおいて、側板部に、鉛直方向に延びる少なくとも１つの第２膨出部が形成されている。
【００１０】
ここでは、上記のように、第１及び第２支持部材の側板部に第２膨出部を形成しているため、第１及び第２支持部材の強度をさらに向上させることができ、これにより、モータ支持台の強度をさらに向上させることができる。
【００１１】
第４の観点にかかる冷凍装置ユニットは、第１〜第３の観点のいずれかにかかる冷凍装置ユニットにおいて、前板部及び後板部の一方において、装着部の上側及び／又は下側に、鉛直方向に延びる少なくとも１つの第３膨出部が形成されている。
【００１２】
ここでは、上記のように、第１及び第２支持部材の前板部及び後板部の一方について、装着部の上側及び／又は下側に（装着部を避けて）第３膨出部を形成している。このため、ここでは、第１及び第２支持部材の強度をさらに向上させることができ、これにより、モータ支持台の強度をさらに向上させることができる。
【００１３】
第５の観点にかかる冷凍装置ユニットは、第１〜第４の観点のいずれかにかかる冷凍装置ユニットにおいて、第１支持部材及び第２支持部材が、上下対称の形状である。
【００１４】
ここでは、第１支持部材及び第２支持部材を同一形状にするのにあたり、上記のように、第１支持部材及び第２支持部材を上下対称の形状にしている。このため、ここでは、第２支持部材を、第１支持部材とは上下逆にした状態にすることによって、ファンモータの前面視において、第１支持部材と左右対称に配置することができる。
【００１５】
第６の観点にかかる冷凍装置ユニットは、第５の観点にかかる冷凍装置ユニットにおいて、第２支持部材が、第１支持部材とは上下逆にした状態で、ファンモータの前面視において、第１支持部材と左右対称に配置されている。
【図面の簡単な説明】
【００１６】
【図１】本開示の一実施形態にかかる冷凍装置ユニットとしての室外ユニットの外観を示す斜視図である。
【図２】室外ユニットの上面図である。
【図３】室外ユニットの前面図である。
【図４】モータ支持台及びファンモータの斜視図である。
【図５】第１及び第２支持部材を前板部側から見た図である。
【図６】第１及び第２支持部材を側板部側から見た図である。
【図７】第１及び第２支持部材を後板部側から見た図である。
【図８】第１及び第２支持部材の断面図（図６のＡ−Ａ断面図）である。
【図９】変形例Ａのモータ支持台及びファンモータの斜視図である。
【発明を実施するための形態】
【００１７】
以下、冷凍装置ユニットとしての室外ユニットについて、図面に基づいて説明する。
【００１８】
（１）構成
図１は、一実施形態にかかる冷凍装置ユニットとしての室外ユニット２の外観を示す斜視図である。図２は、室外ユニット２の上面図である。図２は、室外ユニット２からケース６０の上面を除いた状態を示している。図３は、室外ユニット２の前面図である。図３は、室外ユニット２からケース６０の前面を除いた状態を示している。図４は、モータ支持台７０及びファンモータ２５の斜視図である。図５は、第１及び第２支持部材７４、７５を前板部８１側から見た図である。図６は、第１及び第２支持部材７４、７５を側板部８３側から見た図である。図７は、第１及び第２支持部材７４、７５を後板部８２側から見た図である。図８は、第１及び第２支持部材７４、７５の断面図（図６のＡ−Ａ断面図）である。以下の説明において、「上」、「下」、「左」、「右」、「前」及び「後」のような方向は、図１〜図４に示す方向を意味している。
【００１９】
室外ユニット２は、室内ユニットに冷媒連絡管を介して接続されており、冷媒が循環する冷媒回路を構成している。室外ユニット２は、ケース６０と、冷媒回路を構成する圧縮機２１及び室外熱交換器２２等の部品と、室外送風機２３と、電装品アセンブリと、を有している。圧縮機２１及び室外熱交換器２２以外の冷媒回路を構成する部品と電装品アセンブリとは、図２及び図３に図示していない。
【００２０】
ケース６０は、ケース本体６１と、天板６２と、を有している。
【００２１】
ケース本体６１は、上面が開放されている略直方体形状の箱体である。ケース本体６１は、底板６３と、周囲板６４と、を有している。
【００２２】
底板６３は、ケース６０の底面を形成する横長の板状部材である。底板６３の下面には、設置面に固定される基礎脚６５が設けられている。
【００２３】
周囲板６４は、ケース６０の上面視において、ケース６０の周囲面（前面、左側面、右側面及び後面）を形成する部材である。周囲板６４は、複数の板状部材によって構成されている。例えば、周囲板６４は、ケース６０の前面の左寄りの部分及び左側面を形成する左前板と、ケース６０の前面の右寄りの部分及び右側面の前寄りの部分を形成する右前板と、ケース６０の右側面の後寄りの部分を形成する右側板と、によって構成されている。但し、周囲板６４を構成する板状部材の区分は、これに限定されるものではない。周囲板６４の下部は、底板６３にネジ等により固定されている。ケース本体６１には、圧縮機２１、室外熱交換器２２及び室外送風機２３が配置されている。
【００２４】
天板６２は、ケース６０の天面を形成する横長の板状部材である。天板６２は、ケース本体６１の開放されている上面を覆っている。天板６２は、周囲板６４の上部にネジ等により固定されている。
【００２５】
ケース本体６１には、仕切板６６が設けられている。仕切板６６は、鉛直方向に延びる板状部材である。仕切板６６は、ケース本体６１内の空間を室外熱交換器２２及び室外送風機２３が配置される第１室Ｓ１と圧縮機２１が配置される第２室Ｓ２とに仕切っている。
【００２６】
第１室Ｓ１は、仕切板６６の左側の空間である。第２室Ｓ２は、仕切板６６の右側の空間である。室外熱交換器２２は、第１室Ｓ１において、ケース６０の左側面から後面に沿って配置されている。室外送風機２３は、第１室Ｓ１において、室外熱交換器２２のうちケース６０の後面に沿う部分の前側に配置されている。周囲板６４のうちケース６０の左側面及び後面を形成する部分には、吸入口６４ａ、６４ｂが形成されている。吸入口６４ａ、６４ｂは、室外送風機２３によってケース６０外からケース６０内に空気を吸い込む開口である。周囲板６４のうちケース６０の前面を形成する部分には、吹出口６４ｃが形成されている。吹出口６４ｃは、室外送風機２３によってケース６０内からケース６０外に空気を吹き出す開口である。吹出口６４ｃには、ファンガード６４ｄが設けられている。圧縮機２１は、第２室Ｓ２において、前後方向の中央付近に配置されている。仕切板６６の下部は、底板６３にネジ等により固定されている。仕切板６６の前部は、周囲板６４のうちケース６０の前面を形成する部分にネジ等により固定されている。
【００２７】
室外送風機２３は、ファンモータ２５と、ファンモータ２５に連結されるファン２４と、を有している。ファンモータ２５は、略円柱形状のモータ本体２５ａと、モータ本体２５ａから突出する回転軸２５ｂと、モータ本体２５ａの外周に設けられている固定部２５ｃと、を有している。固定部２５ｃには、ネジ孔２５ｄが形成されている。ファン２４は、プロペラファンであり、回転軸２５ｂに連結されている。ファン２４は、その回転軸線Ｏが水平方向に延びる状態で、吹出口６４ａに対向して配置されている。言い換えれば、ファン２４の回転軸線Ｏは、ケース６０の前後方向に延びている。このため、ファンモータ２５は、回転軸２５ｂが回転軸線Ｏと同じ方向（ケース６０の前後方向）に延びる状態で配置されている。このように、ここでは、回転軸２５ｂが延びる方向とケース６０の前後方向とが同じ方向であるため、以下の説明においては、ケース６０に対する方向や位置関係と同じ意味で、ファンモータ２５（回転軸２５ｂ）に対する方向や位置関係を使用する。また、ここでは、ファンモータ２５をファン２４が連結される側から見る方向をファンモータ２５の前面視とする。
【００２８】
ファンモータ２５は、モータ支持台７０によって支持されている。モータ支持台７０は、モータ固定部材７１と、下部固定部材７２と、上部固定部材７３と、第１支持部材７４と、第２支持部材７５と、を有している。
【００２９】
モータ固定部材７１は、ファンモータ２５の前面視（ケース６０の前面視）において、略四角形状の板状部材である。モータ固定部材７１には、その中央部にファンモータ２５のモータ本体２５ａが挿入されるモータ孔７１ａが形成されている。モータ固定部材７１には、モータ孔７１ａの外周側にネジ孔７１ｂが形成されている。ネジ孔７１ｂは、ファンモータ２５のネジ孔２５ｄに対向して配置されている。ファンモータ２５は、モータ孔７１ａに挿入された状態で、ネジ７６をネジ孔２５ｄ及びネジ孔７１ｂに締結することによってモータ固定部材７１に固定されている。モータ固定部材７１には、その角部付近に、第１支持部材７４及び第２支持部材７５にネジ７７によって固定するためのネジ孔７１ｃが形成されている。
【００３０】
下部固定部材７２は、第１支持部材７４及び第２支持部材７５の下端部が固定されるとともに、ケース６０の底面（底板６３）に固定される部材である。下部固定部材７２には、第１支持部材７４及び第２支持部材７５の下端部に沿って上方に延びる固定部７２ａが形成されている。固定部７２ａは、第１支持部材７４及び第２支持部材７５の下端部をネジ７８によって固定している。
【００３１】
上部固定部材７３は、第１支持部材７４及び第２支持部材７５の上端部が固定される部材である。上部固定部材７３には、第１支持部材７４及び第２支持部材７５の上端部に沿って下方に延びる固定部７３ａが形成されている。固定部７３ａは、第１支持部材７４及び第２支持部材７５の上端部をネジ７９によって固定している。上部固定部材７３には、固定部７３ａの後側に、室外熱交換器２２のうちケース６０の後面に沿う部分の上端部を支持する熱交支持部７３ｂが形成されている。
【００３２】
第１支持部材７４は、ファンモータ２５の前面視（ケース６０の前面視）において回転軸２５ｂの左側で鉛直方向に延びている部材である。第２支持部材７５は、ファンモータ２５の前面視（ケース６０の前面視）において回転軸２５ｂの右側で鉛直方向に延びている部材である。第１支持部材７４及び第２支持部材７５は、同一形状である。言い換えれば、第１支持部材７４及び第２支持部材７５は、全く同じ部材である。また、第１支持部材７４及び第２支持部材７５は、上下対称の形状である。そして、第２支持部材７５は、第１支持部材７４とは上下逆にした状態で、ファンモータ２５の前面視において、第１支持部材７４と左右対称に配置されている（図４参照）。
【００３３】
支持部材７４、７５はそれぞれ、断面が略Ｃ字形状の柱状部材である。支持部材７４、７５はそれぞれ、前板部８１と、前板部８１の後側に配置される後板部８２と、前板部８１と後板部８２とを接続する側板部８３と、を有している。
【００３４】
前板部８１は、ケース６０の前面に対向して配置される板状部分である。前板部８１は、鉛直方向の中央を横切る対称軸線Ｌに対して線対称（上下対称）な形状を有している。
【００３５】
前板部８１には、ファンモータ２５を支持する装着部８１ａが形成されている。装着部８１ａは、前板部８１の鉛直方向の中央部に形成されている平坦部分である。装着部８１ａは、対称軸線Ｌに対して線対称（上下対称）な形状を有している。装着部８１ａには、その鉛直方向両端部（上部及び下部）付近に、ネジ孔８１ｂが形成されている。ネジ孔８１ｂは、対称軸線Ｌに対して線対称（上下対称）の位置にある。ネジ孔８１ｂは、モータ固定部材７１のネジ孔７１ｃに対向して配置されている。モータ固定部材７１は、ネジ７７をネジ孔７１ｃ及びネジ孔８１ｂに締結することによって支持部材７４、７５に固定されている。
【００３６】
前板部８１には、その鉛直方向両端部（上端部及び下端部）に、ネジ孔８１ｃが形成されている。ネジ孔８１ｃは、対称軸線Ｌに対して線対称（上下対称）の位置にある。支持部材７４、７５の上端部に位置する前板部８１のネジ孔８１ｃは、上部固定部材７３の固定部７３ａに対向して配置される。このため、支持部材７４、７５の上端部は、ネジ７９を前板部８１のネジ孔８１ｃに締結することによって上部固定部材７３の固定部７３ａに固定されている。
【００３７】
前板部８１には、装着部８１ａの鉛直方向両側（上側及び下側）に、鉛直方向に延びる第３膨出部８１ｄが形成されている。第３膨出部８１ｄは、支持部材７４、７５の断面視において、前板部８１の外方に略半円状に突出する部分であり、前板部８１の装着部８１ａとネジ穴８１ｃとの鉛直方向間を延びている。第３膨出部８１ｄは、対称軸線Ｌに対して線対称（上下対称）な形状を有している。尚、第３膨出部８１ｄの断面形状は、前板部８１の外方に略半円状に突出する形状に限定されず、前板部８１の内方に突出していてもよいし、略三角形状等のような他の形状であってもよい。また、ここでは、第３膨出部８１ｄが、装着部８１ａの鉛直方向両側に形成されているが、これに限定されるものではない。例えば、第３膨出部８１ｄが、装着部８１ａの鉛直方向上側又は下側だけに形成されていてもよい。また、ここでは、第３膨出部８１ｄが、前板部８１の左右方向の中央付近に１つ形成されているが、これに限定されるものではない。例えば、第３膨出部８１ｄが、前板部８１の左右方向に２つ以上並んで形成されていてもよい。このように、前板部８１には、装着部８１ａの鉛直方向上側及び／又は下側に、鉛直方向に延びる少なくとも１つの第３膨出部８１ｄが形成されていればよい。
【００３８】
後板部８２は、前板部８１の後側において、前板部８１に対向して配置される板状部分である。後板部８２は、鉛直方向の中央を横切る対称軸線Ｌに対して線対称（上下対称）な形状を有している。
【００３９】
後板部８２には、前板部８１の装着部８１ａに対向する高さ位置Ｈの部分に、鉛直方向に延びる第１膨出部８２ａが形成されている。第１膨出部８２ａは、支持部材７４、７５の断面視において、後板部８２の外方に略半円状に突出する部分である。第１膨出部８２ａは、前板部８１の装着部８１ａに対向する高さ位置Ｈの部分だけでなく、高さ位置Ｈの部分を含めた上端部近傍から下端部近傍まで連続して延びている。第１膨出部８２ａは、対称軸線Ｌに対して線対称（上下対称）な形状を有している。尚、第１膨出部８２ａの断面形状は、後板部８２の外方に略半円状に突出する形状に限定されず、後板部８２の内方に突出していてもよいし、略三角形状等のような他の形状であってもよい。また、ここでは、第１膨出部８２ａが、後板部８２の左右方向の中央付近に１つ形成されているが、これに限定されるものではない。例えば、第１膨出部８２ａが、後板部８２の左右方向に２つ以上並んで形成されていてもよい。このように、後板部８２には、前板部８１の装着部８１ａに対向する高さ位置Ｈの部分に、鉛直方向に延びる少なくとも１つの第１膨出部８２ａが形成されていればよい。
【００４０】
側板部８３は、前板部８１の左右方向一方側の縁部と後板部８２の同じ側の縁部とを接続する板状部分である。側板部８３は、鉛直方向の中央を横切る対称軸線Ｌに対して線対称（上下対称）な形状を有している。
【００４１】
側板部８３には、その鉛直方向両端部（上端部及び下端部）に、ネジ孔８３ａが形成されている。ネジ孔８３ａは、対称軸線Ｌに対して線対称（上下対称）の位置にある。支持部材７４、７５の上端部に位置する側板部８３のネジ孔８３ａは、上部固定部材７３の固定部７３ａに対向して配置される。このため、支持部材７４、７５の上端部は、ネジ７９を側板部８３のネジ孔８３ａに締結することによって上部固定部材７３の固定部７３ａに固定されている。また、支持部材７４、７５の下端部に位置する側板部８３のネジ孔８３ａは、下部固定部材７２の固定部７２ａに対向して配置される。このため、支持部材７４、７５の下端部は、ネジ７８を側板部８３のネジ孔８３ａに締結することによって下部固定部材７２の固定部７２ａに固定されている。
【００４２】
側板部８３には、鉛直方向に延びる第２膨出部８３ｂが形成されている。第２膨出部８３ｂは、支持部材７４、７５の断面視において、側板部８３の内方に略半円状に突出する部分であり、上端側及び下端側のネジ孔８３ａの鉛直方向間を延びている。このため、第２膨出部８３ｂは、前板部８１の装着部８１ａに対向する高さ位置Ｈの部分を含めた上端部近傍から下端部近傍まで連続して延びている。第２膨出部８３ｂは、対称軸線Ｌに対して線対称（上下対称）な形状を有している。尚、第２膨出部８３ｂの断面形状は、側板部８３の内方に略半円状に突出する形状に限定されず、側板部８３の外方に突出していてもよいし、略三角形状等のような他の形状であってもよい。また、ここでは、第２膨出部８３ｂが、側板部８３の左右方向の中央付近に１つ形成されているが、これに限定されるものではない。例えば、第２膨出部８３ｂが、側板部８３の左右方向に２つ以上並んで形成されていてもよい。このように、側板部８３には、鉛直方向に延びる少なくとも１つの第２膨出部８３ｂが形成されていればよい。
【００４３】
また、後板部８２には、側板部８３が接続されていない側の縁部に、前側に向かって延びる折り返し部８４が形成されている。
【００４４】
このように、ここでは、ファンモータ２５の前面視（ケース６０の前面視）において、第２支持部材７５を、第１支持部材７４とは上下逆にした状態で、かつ、第１支持部材７４と左右対称になるように配置して、上部及び下部固定部材７２、７３に固定している。そして、ここでは、ファンモータ２５を、モータ固定部材７１を介して第１及び第２支持部材７４、７５の装着部８１ａにおいて支持している。
【００４５】
（２）特徴
次に、冷凍装置ユニットとしての室外ユニット２の特徴について説明する。
【００４６】
＜Ａ＞
送風機のファンモータが前後方向に回転軸が延びる状態でモータ支持台に支持されている室外ユニット（冷凍装置ユニット）では、設計上の様々な理由（送風機の大型化への対応、固有振動数を上げる等）により、モータ支持台の強度を向上させる必要がある。モータ支持台の強度を向上させるためには、ファンモータの前面視において回転軸の左右両側で鉛直方向に延びている第１及び第２支持部材の装着部（ファンモータを支持する部分）付近の強度を向上させることが有効である。
【００４７】
但し、モータ支持台においては、構成部品を共通化するために、第１及び第２支持部材を同一形状にすることが好ましい。言い換えれば、第１及び第２支持部材を全く同じ部材とすることが好ましい。
【００４８】
そこで、ここでは、上記のように、第１及び第２支持部材７４、７５として、前後２つの板部８１、８２を有する形状（前板部８１、後板部８２及び両者を接続する側板部８３を有する形状）を採用している（図４〜図８参照）。これにより、ここでは、前後２つの板部８１、８２によって、強度を向上させやすくしている。
【００４９】
しかも、ここでは、上記のように、前板部８１に装着部８１ａを形成し、かつ、後板部８２の装着部８１ａに対向する高さ位置Ｈに少なくとも１つの第１膨出部８２ａを形成している（図７参照）。このため、ここでは、第１及び第２支持部材７４、７５の装着部８１ａ付近の強度を向上させることができ、これにより、モータ支持台７０の強度を向上させることができる。
【００５０】
そして、ここでは、第１支持部材７４及び第２支持部材７５を同一形状にするのにあたり、上記のように、第１支持部材７４及び第２支持部材７５を上下対称の形状にしている（図５〜図７参照）。このため、ここでは、第２支持部材７５を、第１支持部材７４とは上下逆にした状態にすることによって、ファンモータ２５の前面視において、第１支持部材７４と左右対称に配置することができる。
【００５１】
ここで、第１支持部材７４及び第２支持部材７５を上下対称の形状にしているのは、第１支持部材７４及び第２支持部材７５を左右対称に配置した状態で、ファンモータ２５の前面視において、装着部８１ａ（前板部８１）を前側に配置させるためである。そして、このような上下対称の形状を採用すれば、上記のように、後板部８２の装着部８１ａに対向する高さ位置Ｈに少なくとも１つの第１膨出部８２ａを形成することができる。
【００５２】
＜Ｂ＞
ここでは、上記のように、第１膨出部８２ａが、後板部８２において、上端近傍から下端近傍まで連続して延びている（図７参照）。
【００５３】
ここでは、上記のように、第１膨出部８２ａを後板部８２の上端近傍から下端近傍まで連続して形成しているため、第１膨出部８２ａを装着部８１ａに対向する高さ位置Ｈを含めた上下に渡る一体の膨出部にすることができる。このため、ここでは、第１及び第２支持部材７４、７５の強度をさらに向上させることができ、これにより、モータ支持台７０の強度をさらに向上させることができる。
【００５４】
＜Ｃ＞
ここでは、上記のように、第１及び第２支持部材７４、７５の側板部８３に少なくとも１つの第２膨出部８３ｂを形成している（図６参照）。このため、第１及び第２支持部材７４、７５の強度をさらに向上させることができ、これにより、モータ支持台７０の強度をさらに向上させることができる。特に、ここでは、第２膨出部８３ｂについても、第１膨出部８２ａと同様に、装着部８１ａに対向する高さ位置Ｈを含めた上端部近傍から下端部近傍まで連続して延びる形状にしているため、強度向上の効果を高めることができる。
【００５５】
＜Ｄ＞
ここでは、上記のように、第１及び第２支持部材７４、７５の前板部８１について、装着部８１ａの上側及び／又は下側に（装着部８１ａを避けて）少なくとも１つの第３膨出部８１ｄを形成している（図５参照）。このため、ここでは、第１及び第２支持部材７４、７５の強度をさらに向上させることができ、これにより、モータ支持台７０の強度をさらに向上させることができる。
【００５６】
＜Ｅ＞
ここでは、上記のように、後板部８２の側板部８３が接続されていない側の縁部に、前側に向かって延びる折り返し部８４を形成している（図８参照）。このため、ここでは、第１及び第２支持部材７４、７５の強度をさらに向上させることができ、これにより、モータ支持台７０の強度をさらに向上させることができる。
【００５７】
（３）変形例
＜Ａ＞
上記実施形態の室外ユニット２（冷凍装置ユニット）では、第１及び第２支持部材７４、７５の前板部８１に装着部８１ａを形成しているが、これに限定されるものではない。
【００５８】
例えば、図９に示すように、後板部８２に装着部８１ａ及びネジ孔８１ｂを形成して、モータ固定部材７１を介して、ファンモータ２５を後板部８２に固定してもよい。
【００５９】
この場合には、第３膨出部８１ｄも後板部８２に形成すればよい。そして、前板部８１には、第１膨出部８２ａを形成すればよい。
【００６０】
この場合においても、上記実施形態と同様の作用効果を得ることができる。
【００６１】
このように、第１及び第２支持部材７４、７５においては、装着部８１ａが、前板部８１及び後板部８２のいずれか一方に形成されており、かつ、第１膨出部８２ａが、前板部８１及び後板部８２のいずれか他方に形成されていればよい。
【００６２】
＜Ｂ＞
上記実施形態及び変形例Ａの室外ユニット２（冷凍装置ユニット）では、ファンモータ２５が、モータ固定部材７１を介して、第１及び第２支持部材７４、７５の装着部８１ａに固定されているが、これに限定されるものではない。例えば、ファンモータ２５が、第１及び第２支持部材７４、７５の装着部８１ａに直接固定されてもよい。
【００６３】
＜Ｃ＞
上記実施形態及び変形例Ａ、Ｂの室外ユニット２（冷凍装置ユニット）では、１つの送風機２３（１組のファン２４及びファンモータ２５）がモータ支持台７０に支持されている構成を例に挙げて説明しているが、これに限定されるものではない。例えば、２つ以上の送風機（２組以上のファン及びファンモータ）が上下に配置された状態でモータ支持台に支持されている構成であってもよい。
【００６４】
＜Ｄ＞
上記実施形態及び変形例Ａ〜Ｃでは、室外ユニット２を例に挙げて説明しているが、これに限定されるものではない。送風機のファンモータが前後方向に回転軸が延びる状態でモータ支持台に支持されている冷凍装置ユニットであればよい。
【００６５】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【００６６】
本開示は、送風機のファンモータが前後方向に回転軸が延びる状態でモータ支持台に支持されている冷凍装置ユニットに対して、広く適用可能である。
【符号の説明】
【００６７】
２      室外ユニット（冷凍装置ユニット）
２３    室外送風機（送風機）
２４    ファン
２５    ファンモータ
２５ｂ  回転軸
７０    モータ支持台
７４    第１支持部材
７５    第２支持部材
８１    前板部
８１ａ  装着部
８１ｄ  第３膨出部
８２    後板部
８２ａ  第１膨出部
８３    側板部
８３ｂ  第２膨出部
Ｈ      高さ位置
【先行技術文献】
【特許文献】
【００６８】
【特許文献１】特開２００１−２２１４６３号公報
【図１】
2020085429.tif 000003
【図２】
2020085429.tif 000004
【図３】
2020085429.tif 000005
【図４】
2020085429.tif 000006
【図５】
2020085429.tif 000007
【図６】
2020085429.tif 000008
【図７】
2020085429.tif 000009
【図８】
2020085429.tif 000010
【図９】
2020085429.tif 000011